(57)【要約】      （修正有）【課題】切断した光ケーブルなどのケーブルを回収する際に、巻取りが容易で巻き緩み無く密巻きすることができ、残置となったケーブルを収納しておくことができるケーブルの回収治具およびケーブルの回収方法を提供する。【解決手段】略円筒形状の胴部２ａと、胴部２ａの軸心方向の端部に形成された鍔部２ｂ１（２ｂ２）と、胴部２ａ或いは鍔部２ｂ１（２ｂ２）の少なくとも一方にケーブルを把持可能に設けられたケーブル把持部２ｃと、を有するボビン２と、ボビン２を収納するボビンケース４と、ボビンケース４とボビン２との間に配置され、ボビン２の胴部２ａに対してケーブルを押さえるケーブル押さえ部材３と、を備え、ボビン２はさらに、ボビン２をボビンケース４に対して回転させるための回転用つまみ２ｄを備え、ケーブル押さえ部材３は、胴部２ａに巻き取られるケーブル量に応じて弾性的に広がる。【選択図】図１
2015030600.tif 000002
【特許請求の範囲】
【請求項１】
略円筒形状の胴部と、前記胴部の軸心方向の端部に形成された鍔部と、前記胴部或いは前記鍔部の少なくとも一方にケーブルを把持可能に設けられたケーブル把持部と、を有するボビンと、
前記ボビンを収納するボビンケースと、
前記ボビンケースと前記ボビンとの間に配置され、前記ボビンの胴部に対して前記ケーブルを押さえるケーブル押さえ部材と、を備え、
前記ボビンはさらに、前記ボビンを前記ボビンケースに対して回転させるための回転用つまみを備え、
前記ケーブル押さえ部材は、前記胴部に巻き取られるケーブル量に応じて弾性的に広がる、ケーブルの回収治具。
【請求項２】
前記ボビンケースは略直方体形状であり、
前記ケーブル押さえ部材は、
各辺が内側に湾曲した略四角形の形状であり、
前記ボビンケースの四隅に対応する角部を備え、その対角線は前記ボビンケースの一辺よりも長い、請求項１に記載のケーブルの回収治具。
【請求項３】
前記ケーブル押さえ部材は、一箇所が開放されている、請求項２に記載のケーブルの回収治具。
【請求項４】
前記ケーブル押さえ部材は、前記角部の一箇所が開放されている、請求項３に記載のケーブルの回収治具。
【請求項５】
前記ボビンは、前記鍔部にボビンケースと係合して逆転が防止されるラチェット機構を備える、請求項１から請求項４のいずれか１項に記載のケーブルの回収治具。
【請求項６】
前記ラチェット機構は、前記ボビンケースの内側に設けられた爪部と、前記ボビンの鍔部に設けられた歯車状の段差部とを備える、請求項５に記載のケーブルの回収治具。
【請求項７】
請求項１から請求項６のいずれか１項に記載のケーブルの回収治具を用いて、
前記ボビンのケーブル把持部にケーブル端部またはケーブル端部のコネクタを把持させ、
前記ボビンケースと前記ボビンとの間に前記ケーブル押さえ部材を配置するようにして、前記ボビンケース内に前記ボビンと前記ケーブル押さえ部材とを組み付けて、
前記ボビンの回転用つまみを回転させることにより、前記ボビンにケーブルを巻き取らせてケーブルを回収する、ケーブルの回収方法。
【発明の詳細な説明】
【技術分野】
【０００１】
本発明は、ケーブルの回収治具およびケーブルの回収方法に関する。
【背景技術】
【０００２】
ユーザーの通信契約の解約時など、電柱から住宅内に引き込まれている光ケーブル等のケーブルを切断し、切断したケーブルを巻き取り器で巻き取って回収することがある。
ケーブルの巻き取り器として、例えば特許文献１には、線状体（光ケーブル）が巻き回された胴部と鍔部とを有するリールが、惰性回転してオーバーランし、線状体の巻き緩みが生じることを抑える線状体繰り出し装置として、リールを収納したケースの繰り出し口に設けられたフラップをリールの鍔部の外周面に当接させてリールの回転を制動する構成が開示されている。
また、特許文献２には、フラットケーブル巻き取り器において、筐体内に形成されているフラットケーブル巻き層の最外層から繰り出された巻き終わり端側が筐体のケーブル入出口近傍で該筐体の内壁に最初に接触する接点より手前の位置の筐体にフラットケーブルの最外層の広がり空間が設けられた構成が開示されている。
【先行技術文献】
【特許文献】
【０００３】
【特許文献１】特開２０１２−２３６６６８号公報
【特許文献２】特開２００４−２７４８３６号公報
【特許文献３】特開２００１−１１２１３２号公報
【特許文献４】特開２００３−２６７５９４号公報
【発明の概要】
【発明が解決しようとする課題】
【０００４】
電柱からユーザーの住宅内に引き込まれている光ケーブル等のケーブルを切断し回収を行う際に、ユーザーが不在で住宅の敷地内に入れない場合は、敷地外のケーブルのみ回収して作業を中断し、再訪問して敷地内のケーブル回収作業を行う必要があった。この再訪問を省略するため、作業を中断したところまでのケーブルを収納して放置し、ユーザーが帰宅したら敷地内の残りのケーブルを巻き取ってもらい、宅配便等で返送してもらうことが考えられる。ところが、電柱から住宅内に引き込まれている一般的な光ケーブル（支持線付きの光ケーブルなど）は、硬く曲げにくいケーブルであり、不慣れなユーザーによる回収は難しい。
【０００５】
従来のケーブル巻き取り器の一例である、特許文献１に開示された線状体繰り出し装置は、ケーブルの敷設作業時に使用するものであり、ケーブルの回収には適していない。また、例えば特許文献２に開示されたフラットケーブルの巻き取り器は、支持線付きの光ケーブルなどの硬く曲げにくいケーブルを緩み無く密巻きする構造ではない。
【０００６】
よって、従来のケーブル巻き取り器では、不慣れなユーザーが、電柱から住宅内に引き込まれている光ケーブル等を緩み無く密巻きの状態で巻き取ることは困難である。また、従来のケーブル巻き取り器では、光ケーブル等の巻き取りを中断し、密巻きの状態を保ったまま一定期間放置しておくことも困難である。
【０００７】
そこで、本発明の目的は、切断した光ケーブルなどのケーブルを回収する際に、巻取りが容易で巻き緩み無く密巻きすることができ、残置となったケーブルを収納しておくことができるケーブルの回収治具およびケーブルの回収方法を提供することにある。
【課題を解決するための手段】
【０００８】
上記課題を解決することのできる本発明のケーブルの回収治具は、略円筒形状の胴部と、前記胴部の軸心方向の端部に形成された鍔部と、前記胴部或いは前記鍔部の少なくとも一方にケーブルを把持可能に設けられたケーブル把持部と、を有するボビンと、
前記ボビンを収納するボビンケースと、
前記ボビンケースと前記ボビンとの間に配置され、前記ボビンの胴部に対して前記ケーブルを押さえるケーブル押さえ部材と、を備え、
前記ボビンはさらに、前記ボビンを前記ボビンケースに対して回転させるための回転用つまみを備え、
前記ケーブル押さえ部材は、前記胴部に巻き取られるケーブル量に応じて弾性的に広がる。
【０００９】
また、上記課題を解決することのできる本発明のケーブルの回収方法は、上記のケーブルの回収治具を用いて、
前記ボビンのケーブル把持部にケーブル端部またはケーブル端部のコネクタを把持させ、
前記ボビンケースと前記ボビンとの間に前記ケーブル押さえ部材を配置するようにして、前記ボビンケース内に前記ボビンと前記ケーブル押さえ部材とを組み付けて、
前記ボビンの回転用つまみを回転させることにより、前記ボビンにケーブルを巻き取らせてケーブルを回収する。
【発明の効果】
【００１０】
本発明によれば、切断した光ケーブルなどのケーブルを回収する際に、巻取りが容易で巻き緩み無く密巻きすることができ、残置となったケーブルを収納しておくことができる。
【図面の簡単な説明】
【００１１】
【図１】本発明の実施形態に係るケーブルの回収治具の分解斜視図である。
【図２】図1のケーブルの回収治具の斜視図であり、（ａ）は蓋を外した状態、（ｂ）は蓋を付けた状態を示す図である。
【図３】図1のケーブルの回収治具の四面図である。
【図４】図1のボビンのケーブル把持部を説明する斜視図である。
【図５】本発明の実施形態に係るケーブルの回収治具によるケーブル巻取りの様子を説明する模式図であり、巻き取り初期段階を示す図である。
【図６】本発明の実施形態に係るケーブルの回収治具によるケーブル巻取りの様子を説明する模式図であり、巻き取りが進んだ段階を示す図である。
【発明を実施するための形態】
【００１２】
［本願発明の実施形態の説明］
本願発明の実施形態に係るケーブルの回収治具は、
（１）  略円筒形状の胴部と、前記胴部の軸心方向の端部に形成された鍔部と、前記胴部或いは前記鍔部の少なくとも一方にケーブルを把持可能に設けられたケーブル把持部と、を有するボビンと、
前記ボビンを収納するボビンケースと、
前記ボビンケースと前記ボビンとの間に配置され、前記ボビンの胴部に対して前記ケーブルを押さえるケーブル押さえ部材と、を備え、
前記ボビンはさらに、前記ボビンを前記ボビンケースに対して回転させるための回転用つまみを備え、
前記ケーブル押さえ部材は、前記胴部に巻き取られるケーブル量に応じて弾性的に広がる。
すなわち、ボビンに設けられたケーブル把持部に、切断した光ケーブルなどのケーブルの端部（あるいは端部のコネクタ）を把持して、回転用つまみを手動で回転させて巻き取る際に、ケーブル押さえ部材は、巻き取られるケーブル量に応じて弾性的に広がる。これにより、巻取りが容易で巻き緩み無く密巻きすることができる。従って、切断したケーブルを回収する際に、巻取りが容易で巻き緩み無く密巻きすることができ、残置となったケーブルを収納しておくことができる。
【００１３】
（２）  前記ボビンケースは略直方体形状であり、
前記ケーブル押さえ部材は、
各辺が内側に湾曲した略四角形の形状であり、
前記ボビンケースの四隅に対応する角部を備え、その対角線は前記ボビンケースの一辺よりも長い。
各辺が内側に湾曲しているので、ボビンに巻き取られたケーブルに当接して、巻取られたケーブルが広がらないようにすることができる。また、ケーブル押さえ部材が、ボビンケースに対して空転することを防ぎ、ケーブルを安定して押さえることができる。
【００１４】
（３）  前記ケーブル押さえ部材は、一箇所が開放されている。
ケーブル押さえ部材の一箇所が開放されているので、ボビンに巻き取られたケーブル量が多くなるにつれて各辺を押し広げるようにできるので、多くのケーブルを巻き取ることができる。
【００１５】
（４）  前記ケーブル押さえ部材は、前記角部の一箇所が開放されている。
ボビンに巻き取られたケーブル量が多くなるにつれて、ケーブル押さえ部材の開放された角部間の間隔が広がるように、各辺を押し広げるようにできるので、多くのケーブルを巻き取ることができる。
【００１６】
（５）  前記ボビンは、前記鍔部にボビンケースと係合して逆転が防止されるラチェット機構を備える。
ボビンの逆転を防止することができ、巻取り作業を円滑に行うことができる。
【００１７】
（６）  前記ラチェット機構は、前記ボビンケースの内側に設けられた爪部と、前記ボビンの鍔部に設けられた歯車状の段差部とを備える。
ボビンの逆転防止を簡単な構造で実現できる。
【００１８】
本願発明の実施形態に係るケーブルの回収方法は、
（７）  上記（１）から（６）のいずれかに記載のケーブルの回収治具を用いて、
前記ボビンのケーブル把持部にケーブル端部またはケーブル端部のコネクタを把持させ、
前記ボビンケースと前記ボビンとの間に前記ケーブル押さえ部材を配置するようにして、前記ボビンケース内に前記ボビンと前記ケーブル押さえ部材とを組み付けて、
前記ボビンの回転用つまみを回転させることにより、前記ボビンにケーブルを巻き取らせてケーブルを回収する。
切断した光ケーブルなどのケーブルを回収する際に、巻取りが容易で巻き緩み無く密巻きすることができ、残置となったケーブルを収納しておくことができるケーブルの回収方法を提供できる。
【００１９】
［本願発明の実施形態の詳細］
本発明の実施形態に係るケーブルの回収治具およびケーブルの回収方法を、以下に図面を参照しつつ説明する。
なお、本発明はこれらの例示に限定されるものではなく、特許請求の範囲によって示され、特許請求の範囲と均等の意味および範囲内でのすべての変更が含まれることが意図される。
【００２０】
図１は、本実施形態のケーブルの回収治具（以下、単に回収治具とも称す）の分解斜視図である。図２は、図１の回収治具を組み立てた状態の斜視図であり、（ａ）は蓋を外した状態、（ｂ）は蓋を付けた状態を示している。
回収治具１は、図１に示すように、ボビン２と、ケーブル押さえ部材３と、ボビンケース４と、蓋５とを備えている。この回収治具１を組み立てると、図２の（ａ）に示すように、ボビンケース４の中にボビン２が収納されて、このボビン２にケーブルを巻きつけることにより光ケーブル等のケーブルを回収することができる。
【００２１】
次に、図１から図４を参照して、回収治具１の各部を説明する。図３は回収治具１の４面図であり、（ａ）は平面図、（ｂ）は左側面図、（ｃ）は右側面図、（ｄ）は正面図である。図４はボビン２のケーブル把持部を説明する斜視図である。
ボビン２は、図１および図４に示すように、略円筒形状の胴部２ａと、胴部２ａの軸心方向の両端に形成された鍔部２ｂ１，２ｂ２とを備えている。一方の鍔部２ｂ１には、ケーブルを把持可能に設けられたスリットによるケーブル把持部２ｃが設けられている。また、胴部２ａの円筒内には、ボビン２をボビンケース４に対して回転させるための回転用つまみ２ｄを備えている。また、回転用つまみ２ｄは、手で握って回転し易いような凹凸形状（握り形状）となっている。また、鍔部２ｂ１，２ｂ２の外縁には、歯車状の段差部２ｅが設けられている。なお、ボビン２の材質としては、ＰＰなどの樹脂成型品とするとよい。これにより、軽量で破損しにくくなる。
【００２２】
さらに図４を参照して、ケーブル把持部２ｃを説明する。一方の鍔部２ｂ１は、胴部２ａの内側まで延伸し、この延伸部２ｆは回転用つまみ２ｄの底面と繋がっている。そして、鍔部２ｂ１の外縁から内側に向かってスリットによるケーブル把持部２ｃが設けられている。このケーブル把持部２ｃのスリットは、延伸部２ｆまで延びており、延伸部２ｆ内のスリット内側の凹凸部２ｃａは、スリットの壁面が凹凸形状となってケーブルを把持し易いようになっている。そして、凹凸部２ｃａの端部は、開口部２ｇを介して胴部２ａの内側の空間に繋がっている。また、回転用つまみ２ｄの内側には、ボビンケース４（のボビン支持部）との嵌合部２ｈが設けられている。
【００２３】
ケーブル押さえ部材３は、図２の（ａ）に示すように、ボビンケース４とボビン２との間に配置され、巻き取られるケーブル量に応じて弾性的に広がり、ボビン２の胴部２ａに対して、ケーブルを押さえるものである。このケーブル押さえ部材３は、図１に示すように、各辺が内側に湾曲した略四角形の形状であり、ボビンケース４の四隅に対応する角部３ａを備え、図３の（ａ）に示すように、その対角線Ｍはボビンケース４の一辺Ｌよりも長く形成されている。また、図１および図３に示すように、ケーブル押さえ部材３は、その角部３ａの一箇所に開放部３ｂが設けられている。なお、ケーブル押さえ部材３の材質としては、ＰＰなどの樹脂成型品を使用するとよい。ケーブル押さえ部材３は、上記のような形状や材質により、軽量で低摩擦である上、高撓み性がありケーブル巻取り量が増加しても摺動抵抗の増加を抑えることができる。
【００２４】
ボビンケース４は、図１および図３に示すように、内側に爪部４ａが設けられている。この爪部４ａは、図３に示すように、ボビン２の歯車状の段差部２ｅと係合する歯止めとして機能することにより逆転防止（ケーブルの巻き取り方向と逆方向への回転を防止）のラチェット機構を構成する。また、ボビンケース４は、ケーブル導入部４ｂと、ケーブル切断用の工具等を収納する工具収納箱４ｃと、ボビン２の嵌合部２ｈと嵌合してボビンを支持するボビン支持部４ｄ（図１参照）と、を備えている。また、図１に示すように、図示の左右の辺に設けられた４箇所の嵌合孔４ｅが設けられており、工具収納箱４ｃには係合孔４ｆが設けられている。なお、ボビンケース４は、ＰＰなどの樹脂成型品を使用して略直方体にするとよい。これにより、軽量で破損しにくくなる。
【００２５】
蓋５は、図１および図２の（ｂ）に示すように、ボビンケース４および工具収納箱４ｃの蓋である。また、その略中央部分に、ボビン２の回転用つまみ２ｄをボビンケース４の外部からつまむことができるように開口部５ａ（図１参照）が設けられている。また、蓋５のボビンケース４本体に対応する蓋部分５ｂは、図１に示すように、図示の左右の辺に設けられた４箇所の嵌合爪５ｃをボビンケース４の嵌合孔４ｅに嵌合させ、例えば嵌め殺しとして容易に開放できないようにする。また、工具収納箱４ｃの蓋部分５ｄは、本体の蓋部分５ｂとの繋ぎ目を薄肉として、この蓋部分５ｄのみ独立して回動する構造としてもよい。この場合、蓋部分５ｄには係合爪５ｅが設けられ、蓋部分５ｄを回動して閉めるとき、工具収納箱４ｃの係合孔４ｆと係合する。このような構造であれば、本体の蓋部分５ｂを開けることなく、係合爪５ｅと係合孔４ｆとの係合を解除して、工具収納箱４ｃの蓋部分５ｄを容易に開放できる。
これにより、工具収納箱４ｃの工具を取り出すのは容易だが、ボビンケース４本体を誤って開放して巻き取ったケーブルが飛び出すのを防ぐことができる。なお、蓋５はボビンケース４本体の蓋部分５ｂと工具収納箱４ｃの蓋部分５ｄとを別体にしてもよい。
【００２６】
［ケーブルの回収方法］
次に、図５および図６を参照して本実施形態のケーブルの回収方法について説明する（なお適宜、前述の図１〜図４も参照する）。図５および図６は、回収治具１によるケーブル巻取りの様子を説明する模式図である。図５では巻き取り初期段階を示し、図６は巻き取りが進んだ段階を示す。なお、図５および図６では、巻取りの様子がわかるように蓋５や鍔部２ｂ１、２ｂ２等の図示を省略している。
ユーザーの通信契約の解約時など、電柱から住宅内に引き込まれている引き込み線の光ケーブル等のケーブルを撤去しこのケーブルの回収作業を行う。この回収作業を行うに際して、まず作業者は、引き込み線のケーブル６のコネクタ６ａを外すか、或いはケーブル６を切断し、通信路の幹線から切断する。
【００２７】
次に、作業者は、図１および図４等で図示したボビン２のケーブル把持部２ｃのスリットにケーブル６を通し、ケーブル端部或いはコネクタ６ａを開口部２ｇから胴部２ａの内側に入れて、スリットの凹凸部２ｃａで挟みこまれるようにする。
次に、ボビン２の胴部２ａを挟み込むようにケーブル押さえ部材３を組み付ける。そして、ボビンケース４のケーブル導入部４ｂにケーブル６を合わせながら、ボビン２をボビンケース４に収める（図２の（ａ）および図３参照）。さらに、ボビンケース４に蓋５を取り付ける。蓋５には開口部５ａが設けられているので、回転用つまみ２ｄが外部からつまむことができる状態（図２の（ｂ）参照）となる。
【００２８】
上記の状態で、回転用つまみ２ｄを図５の矢印Ａ方向に回転させることにより、ボビン２の胴部２ａにケーブルが巻き取られていく。
ケーブル押さえ部材３は、胴部２ａに巻き取られたケーブル６の厚みで押されて、外側（図５の矢印Ｂ方向）に向かって弾性的に広がる。
この弾性変形の反力により、ケーブル６がボビン２の胴部２ａに対して押圧される。巻き取られるケーブル６は、ケーブル押さえ部材３の内側に湾曲した各辺により、ボビン２の胴部２ａに向けて抑え付けられるようにガイドされる。また、ケーブル押さえ部材３の対角線Ｍがボビンケース４の一辺Ｌよりも長いので（図３参照）、ボビン２が回転してもケーブル押さえ部材３は、ボビンケース４の内壁に当接して回転しない。
そして、ケーブル６の巻き取りが進むと、例えば図６に示すように巻き取られたケーブル６の厚みが増し、ケーブル押さえ部材３が広がる。このように、ケーブル押さえ部材３は、ケーブル６が緩まないように押さえつつ、巻き取られるケーブル量に応じて弾性的に広がる。
【００２９】
ユーザーが不在のため住宅の敷地内に入ってケーブルが回収できない場合は、敷地外のケーブルを巻き取った段階で巻き取りを中断する。回収治具１には、既に巻き取られたケーブルをそのままにして、住宅の玄関先等に残置する。このとき、回収治具１の工具収納箱４ｃ内には、ケーブル切断用の工具等を収納しておく。
【００３０】
ユーザーは帰宅後、住宅の敷地内の残りのケーブルを工具収納箱４ｃ内の工具で切断する。そして、ユーザーが回収治具１の回転用つまみ２ｄを手動で回して敷地内の残りのケーブルを巻き取る。これにより、電柱から住宅内に引き込まれている引き込み線のケーブルが全て回収治具１内に収容される。このように、引き込み線のケーブルが収容された回収治具１は、例えば宅配業者などに委託して回収する。
【００３１】
以上のように、本実施形態に係るケーブルの回収治具１およびケーブルの回収治具１を用いた回収方法は、ボビン２に設けられたケーブル把持部２ｃに、切断した光ケーブル等のケーブル６の端部のコネクタ６ａを把持して、回転用つまみ２ｄを手動で回転させて巻き取る。このとき、ケーブル押さえ部材３は、ケーブル押さえ部材３の開放された角部３ａ間の間隔が広がるように、各辺が押し広げられるように、巻き取られるケーブル量に応じて弾性的に広がる。ケーブル押さえ部材３は、この弾性力によりケーブル６が外側に広がって巻き状態が緩むことを抑制する。これにより、巻取りが容易で巻き緩み無く密巻きすることができる。
また、回収治具１の回転用つまみ２ｄのみが露出しているので、蓋５を開けずに巻き取り作業をすることができ、さらに、蓋５のボビンケース４本体の蓋部分は、例えば嵌め殺しとして容易に開放できないようにすることで、巻き取ったケーブル６が外に飛び出すなどの虞がない。
また、ボビンケース４の爪部４ａとボビン２の歯車状の段差部２ｅとにより、逆転防止のラチェット機構を構成しているので、巻取り作業を円滑に行うことができ、巻き取ったケーブルの復元力でボビン２が逆回転してしまうことを防止できる。
【００３２】
以上のように、回収治具１は、巻き取りが容易で巻き緩み無く密巻きすることができるので、回収治具１に巻き取られたケーブルを密巻きの状態を保ったまま一定期間残置しておくことができる。また、残りを不慣れなユーザーでも容易に巻き取ることができるので、回収治具１を宅配業者等に委託して返送してもらえば、再訪問による作業を省くこともできる。また、切断用の工具を収納する工具収納箱４ｃを設けたので、ユーザーは工具を用意することなく作業することができる。
【００３３】
なお、上記実施形態において、ボビン２は、胴部２ａの軸心方向の両端に鍔部２ｂ１、２ｂ２をそれぞれ設けているが、片端のみに設けたものでもよい。また、ボビン２のケーブル把持部２ｃは、胴部２ａのみにスリットを設けて巻きつけるものでもよい。或いは、胴部２ａと鍔部２ｂ１の両方にスリットを設けてもよい。
また、ボビンケース４は、前述のように略直方体にするとともに、さらに返送先住所を記載しておいてもよい。これにより、宅配業者などによる回収をし易くできる。
また、ケーブル押さえ部材３の開放部３ｂは、角部３ａ以外の箇所に設けられていてもよい。
【符号の説明】
【００３４】
１  回収治具（ケーブルの回収治具）
２  ボビン
２ａ  胴部
２ｂ１、２ｂ２  鍔部
２ｃ  ケーブル把持部
２ｃａ  凹凸部
２ｄ  回転用つまみ
２ｅ  段差部
２ｆ  延伸部
２ｈ  嵌合部
２ｇ  開口部
３  ケーブル押さえ部材
３ａ  角部
３ｂ  開放部
４  ボビンケース
４ａ  爪部
４ｂ  ケーブル導入部
４ｃ  工具収納箱
４ｄ  ボビン支持部
４ｅ  嵌合孔４ｅ
４ｆ  係合孔
５  蓋
５ａ  開口部
５ｂ  本体の蓋部分
５ｃ  嵌合爪
５ｄ  工具収納箱の蓋部分
５ｅ  係合爪
６  ケーブル
６ａ  コネクタ
【図１】
2015030600.tif 000003
【図２】
2015030600.tif 000004
【図３】
2015030600.tif 000005
【図４】
2015030600.tif 000006
【図５】
2015030600.tif 000007
【図６】
2015030600.tif 000008